(57)【要約】    【課題】  配線コードは勿論、壁面などから突出が一切なく、すっきりした外観が得られる配線構造を提供する。    【解決手段】  断面Ｌ字状を有して長くのび、かつ天井下地、及び壁下地が交差して形成された入隅部に沿って取り付けられるＬ字状コーナー下地材と、断面コ字状をなす基部、この基部の一方フランジがウェブとの交差部から逆方向へのびた鍔部、及び前記基部の他方フランジがウェブとの交差部から逆方向へ内向きに湾曲してのびた湾曲片を含み、鍔部が前記Ｌ字状コーナー下地材の内側に沿って取り付けられるとともに前記基部に下地板の端部が挿入されるＹ字状コーナー下地材とを具え、前記Ｌ字状コーナー下地材と、Ｙ字状コーナー下地材の基部のウェブとの間で底目地が形成されるとともに、前記Ｙ字状コーナー下地材の鍔部と湾曲片との間に電線コードを挿入したことを特徴とする。【選択図】  図２
2007014061.tif 000002
【特許請求の範囲】
【請求項１】
断面Ｌ字状を有してのび、かつ天井下地、及び壁下地が交差して形成された入隅部に沿って取り付けられるＬ字状コーナー下地材と、
断面コ字状をなす基部、この基部の一方フランジがウェブとの交差部から逆方向へのびた鍔部、及び前記基部の他方フランジがウェブとの交差部から逆方向へ内向きに湾曲してのびた湾曲片を含み、鍔部が前記Ｌ字状コーナー下地材の内側に沿って取り付けられるとともに前記基部に下地板の端部が挿入されるＹ字状コーナー下地材とを具え、
前記Ｌ字状コーナー下地材と、Ｙ字状コーナー下地材の基部のウェブとの間で底目地が形成されるとともに、前記Ｙ字状コーナー下地材の鍔部と湾曲片との間に電線コードを挿入したことを特徴とする配線構造。
【請求項２】
前記Ｙ字状コーナー下地材は、鍔部が天井下地に沿って配置されるとともに、その基部には天井下地板が挿入されて、前記入隅部に下向きに開口する底目地が形成され、
前記電線コードは、Ｙ字状コーナー下地材の湾曲片上に載置して支持されることを特徴とする請求項１記載の配線構造。
【請求項３】
前記Ｙ字状コーナー下地材は、鍔部が壁下地に沿って配置されるとともに、その基部には壁下地板が挿入されて、前記入隅部に横向きに開口する底目地が形成され、
前記電線コードは、Ｙ字状コーナー下地材の基部のウェブ上に載置支持されるとともに前記湾曲片により隠蔽されることを特徴とする請求項１記載の配線構造。
【請求項４】
前記湾曲片は、弾性材料を用いて形成されることを特徴とする請求項１〜３のいずれかに記載の配線構造。
【請求項５】
前記電線コードは、壁下地板の接続箇所に形成された縦目地内へ連続してのびることを特徴とする請求項１〜４のいずれかに記載の配線構造。
【発明の詳細な説明】
【技術分野】
【０００１】
本発明は、弱電の電線コードを壁面に簡単に取り付けできるとともに見栄えの良い配線構造に関する。
【背景技術】
【０００２】
オーディオ機器のスピーカーコード、電話コード、アンテナコード、インタネット配線コードなど、家屋内に弱電の電線コードを後付けで配線する場合、壁面、天井面、或いは床面に直接、粘着テープ、ステープルなどを用いて仮止めすることにより、露出配線する場合が多い。このような露出配線では、電線コードが露呈して見栄えを損ねるとともに、手足を引っ掛け易く、これにより転倒して負傷したり、或いは電線コードが断線することもある。
【０００３】
そこで、図９に示すように、溝状の受レールａと、この受レールａに係合してこれを覆うカバーｂとからなるプラスチック製の化粧モールｄを壁面などの配線箇所に取り付け、その中に電線コードｅを収容して、電線コードｅを支持するとともに電線コードｅを隠して配線する方法が提案されている（例えば、特許文献１参照）。
【０００４】
【特許文献１】特開２００５−６５４２８号公報
【発明の開示】
【発明が解決しようとする課題】
【０００５】
このようなモール配線は、任意の箇所に配線できるとともに、電線コードｅが隠れて、しかも施工性が良いため、多用されている。しかしながら、壁表面などから化粧モールｄが突出して、外観を損ねている。また化粧モールｄと干渉するため、家具類が壁面から離れて設置せざるを得ない状況が多くあり、このような場合には、家具の納まり状態が悪いために部屋の見栄え損ない、更には家具類の後ろに生じる隙間に埃が溜まりやすく、不衛生な環境を招くという問題がある。
【０００６】
本発明は、Ｌ字状コーナー下地材と、Ｙ字状コーナー下地材の基部のウェブとの間で底目地が形成されるとともに、前記Ｙ字状コーナー下地材の鍔部と湾曲片との間に電線コードを挿入したことを基本とし、配線コードは勿論、配線のため壁面から突出するものが一切なく、すっきりした外観が得られる配線構造の提供を課題としている。
【課題を解決するための手段】
【０００７】
前記目的を達成するために、請求項１に係る発明は、断面Ｌ字状を有してのび、かつ天井下地、及び壁下地が交差して形成された入隅部に沿って取り付けられるＬ字状コーナー下地材と、断面コ字状をなす基部、この基部の一方フランジがウェブとの交差部から逆方向へのびた鍔部、及び前記基部の他方フランジがウェブとの交差部から逆方向へ内向きに湾曲してのびた湾曲片を含み、鍔部が前記Ｌ字状コーナー下地材の内側に沿って取り付けられるとともに前記基部に下地板の端部が挿入されるＹ字状コーナー下地材とを具え、前記Ｌ字状コーナー下地材と、Ｙ字状コーナー下地材の基部のウェブとの間で底目地が形成されるとともに、前記Ｙ字状コーナー下地材の鍔部と湾曲片との間に電線コードを挿入したことを特徴とする。
【０００８】
請求項２に係る発明では、前記Ｙ字状コーナー下地材は、鍔部が壁下地に沿って配置されるとともに、その基部には壁下地板が挿入されて、前記入隅部に横向きに開口する底目地が形成され、前記電線コードは、Ｙ字状コーナー下地材の基部のウェブ上に載置支持されるとともに前記湾曲片により隠蔽されることを特徴とする。
【０００９】
請求項３に係る発明においては、前記湾曲片は、弾性材料を用いて形成され、また請求項４に係る発明では、前記電線コードは、壁下地板の接続箇所に形成された縦目地内へ連続してのびることを特徴とする。
【発明の効果】
【００１０】
請求項１に係る発明は、前記Ｌ字状コーナー下地材と、Ｙ字状コーナー下地材の基部のウェブとの間で底目地が形成されるため、壁、天井間に材料公差、施工誤差などによって生じる隙間を解消できるとともに反りなど変形が吸収されて、見栄えに優れた内装仕上げが得られる。しかも、前記底目地に電線コードを挿入して、取り付けできるため、配線作業を容易に行えるとともに、電線コードが隠れされて外観を向上できる。また下地板の端部がＹ字状コーナー下地材の基部に挿入されるため、下地板の取付作業が効率化できるとともに下地板端部の納まりが整えられて見栄えを向上する。
【００１１】
請求項２に係る発明では、湾曲片上に載置された電線コードが完全に隠蔽されるため、外観が優れ、しかも天井下地板はＹ字状コーナー下地材の基部に挿入されるため、天井周縁部をスッキリ納めることができ、見栄えが向上する。また請求項３に係る発明において、電線コードは、Ｙ字状コーナー下地材の基部のウェブ上に載置支持されるため、配線変更、増設などの作業が容易に行える。
【００１２】
請求項４に係る発明のように構成すると、弾性材料を用いて形成された湾曲片の変形性を用いて、電線コードの配線、取り外し、増設などの作業が簡単に行える。また請求項５に係る発明では、壁天井の交差部に沿った横への配線に加え、縦方向の配線を簡単に行えるため、スピーカー配線、インターネット配線、電話配線、アンテナ配線などを縦横自在に行える。
【発明を実施するための最良の形態】
【００１３】
以下、本発明の実施の一形態を、図示例とともに説明する。図２に示すように、配線構造１は、断面Ｌ字状に形成されたＬ字状コーナー下地材５と、このＬ字状コーナー下地材５と組み合わせて使用され、かつ断面略Ｙ字状に形成されたＹ字状コーナー下地材１０とを用いて構成される。
【００１４】
前記Ｌ字状コーナー下地材５は、図４に示すように、直角に折れ曲がって連続した一対の細長薄板状の取付片５Ａ、５Ａを有する。また前記取付片５Ａは、その巾が例えば、２０〜６０ｍｍ程度、本形態では３０〜４０ｍｍ程度の大きさに形成され、例えば１８００ｍｍ〜３６００ｍｍ程度、本形態では２７００ｍｍの長さに切断したものが使用される。また本形態のＬ字状コーナー下地材５は、可撓性を有し、そのため取り付けられる下地部の変位、変形に追従できる点で好ましい。
【００１５】
また前記Ｌ字状コーナー下地材５は、図２、３に示すように、建築物の天井下地２及び壁下地３が交差して形成される入隅部４に沿って配置され、接着剤、釘、ビスなどを用いて固定される。なお前記天井下地２は、本形態では、ＲＣスラブの下面により構成されたものが例示される。この他、角材、軽量型鋼などを用いて格子状に組んだ野縁、野縁受に石膏ボード、合板などの板材を張付けて天井下地２を形成することもよい。
【００１６】
また壁下地３は、本形態では、軽量型鋼を用いた上下で横にのびるランナー２１と、縦のスタッド２２とを格子状に組み立てた下地枠に、石膏ボード、或いは合板、パーティクルボード、インシュレーションボード、ＭＤＦ（中密度繊維板）などの木質加工板材を用いた壁下地ボード２３を張付けて構成している。しかし、縦フレーム材、横フレーム材を矩形状に枠組みした外周枠の内側に補強桟を架け渡し形成された木製、又は軽量型鋼製のパネルフレームの両側に、前記と同様の板材を貼着したフラッシュ構造の壁下地パネルを、建物矩体に固着して形成することもできる。
【００１７】
前記Ｙ字状コーナー下地材１０は、図３、４に示すように、断面コ字状をなして横にのびる基部６と、この基部６の一方（図３において上側）のフランジ６Ｆがウェブ６Ｗとの交差部から逆方向に、前記フランジ６Ｆと略同巾にのびた鍔部７と、前記基部６の他方（図２において下側）のフランジ６Ｆがウェブ６Ｗとの交差部から逆方向へしかも内向き（図２において上向き）に湾曲してのびた湾曲片８とからなり、一体に成形される。
【００１８】
そして本形態では、図３に示すように、Ｙ字状コーナー下地材１０は、前記鍔部７およびこれに連続する前記一方のフランジ６Ｆが天井下地２に沿って水平に支持され、かつ前記Ｌ字状コーナー下地材５の一方（図３において上側で水平）の取付片５Ａの下面に重ねて配されるとともに、接着剤、ビスなどを用い天井下地２、又はＬ字状コーナー下地材５に固着される。さらに、天井側に向いて開口するＹ字状コーナー下地材１０の基部６には、前記天井下地２に取り付けられた天井下地板９Ｓの端部が挿入されて支持される。
【００１９】
而して、天井下地板９Ｓの端部が挿入された基部６のウェブ６Ｗと、前記鍔部７と、Ｌ字状コーナー下地材５の縦の取付片５Ａとで下向きに開口する底目地１１が形成される。このように、天井下地板９Ｓの壁際に設けられる前記底目地１１によって、材料の寸法公差、取付作業誤差などに基づいて生じる壁、天井間の隙間を解消し、かつ湿度変化などによる壁天井表面に起こる反りなどの変形が吸収され、その結果壁天井が交差する入隅部４の納まりが良くなる。
【００２０】
また、天井下地板９Ｓの端部がＹ字状コーナー下地材１０の基部６に挿入されるため、天井下地板９Ｓの取付作業を効率化できるとともに、天井下地板９Ｓの壁際端部の納まりが整えられ、内装仕上げの見栄えが向上する。
【００２１】
前記底目地１１内において、図２、３に示すように、Ｙ字状コーナー下地材１０の鍔部７と湾曲片８との間の空所に、電線コード１２を挿入して屋内配線される。本形態では、前記底目地１１に向かい前記湾曲片８が上向きにのびるため、底目地１１内に挿入された電線コード１２は、湾曲片８に載置されて、外れることなく安定した屋内配線ができる。しかも底目地１１内の電線コード１２は、前記湾曲片８に隠れて目に触れることがないため、外観を向上しうる。
【００２２】
本形態では、図１に示すように、ＡＶラック２５内に設置されたＤＶＤデッキ２４Ａ、ビデオデッキ、モニター２４ＢなどのＡＶ機器２４からスピーカー２４Ｄにまでのびる電線コード１２を配線する場合を例示している。前記の如く左右のスピーカー２４Ｄからのびる電線コード１２は、前記Ｙ字状コーナー下地材１０内部に配設されて前記ＡＶラック２５の上部に至り、該箇所から左右の電線コード１２が揃い、ＡＶラック２５の内部に形成された配線空間（図示せず）内に沿って下にのび、前記ＡＶ機器２４に続いている。このように、本形態の電線コード１２は、Ｙ字状コーナー下地材１０内部及びＡＶラック２５の配線空間を通って配線されるため、電線コード１２は外からみえることがなく、外観をが向上されるとともに、化粧モールの切断、固定などが一切不要となり配線作業を効率的に行える。
【００２３】
前記Ｌ字状コーナー下地材５、及びＹ字状コーナー下地材１０はポリエチレン樹脂、ポリプロピレン樹脂、ポリスチレン樹脂、ＡＢＳ樹脂、ポリエチレンテレフタレート（ＰＥＴ）などの熱可塑性樹脂を使用し、押し出し成形、ブロー成形、射出成形などの成形方法を用いて成形される。或いは、炭素鋼、ステンレス鋼、合金鋼を含む鉄鋼材料、及びアルミニウム、真鍮などの金属材料を用いることもできる。
【００２４】
また本形態の湾曲片８は、クロロプレンゴム( ＣＲ）、スチレン・ブタジエンゴム（ＳＢＲ）、イソプレンゴム（ＩＲ）を含むゴム、スチレン系・オレフィン系・ウレタン系・ポリエステル系その他の熱可塑性エラストマー、エチレン酢酸ビニル共重合体（ＥＶＡ）などの弾性材料を用いて、前記Ｙ字状コーナー下地材１０と一体に成形される。このように弾性材料を用いて形成された湾曲片８は、変形性が大きいため、電線コードの配設、取り外し、増設などの作業を簡単に行え、しかも、作業後は弾性により原形どおりに復帰するため、外観を損ねることがない点で好ましい。
【００２５】
なお、図２、３に示すように、壁下地ボード２３からＬ字状コーナー下地材５に亘り壁表装シート２６Ｋを貼着するとともに、天井下地板９ＳからＹ字状コーナー下地材１０に亘って天井表装シート２６Ｔを貼着し、これにより内装表面が仕上げされる。前記壁表装シート２６Ｋ、天井表装シート２６Ｔは、エンボス無地系壁紙、プリントエンボス壁紙、発泡壁紙、シルクスクリーン壁紙などのビニル壁紙、平織壁紙、綾織壁紙、不織布壁紙、植毛壁紙を含む織物壁紙、洋紙壁紙、和紙壁紙、特殊紙壁紙を含む紙壁紙、銘木シート壁紙、コルクシート壁紙を含む木質系壁紙、無機質壁紙などの表装シート材が用いられる。  
【００２６】
図６、７は他の実施形態を例示している。以下異なる内容について説明し、それ以外は図中に表れた主要な構成に同じ符号を付すのみとする。
【００２７】
本形態のＹ字状コーナー下地材１０は、図６、７に示すように、前記鍔部７およびこれに連続する前記一方のフランジ６Ｆが壁下地３に沿って垂直に支持され、かつ前記Ｌ字状コーナー下地材５の一方（図７において左側で垂直）の取付片５Ａの側表面に重ねて配されるとともに、壁下地３、又はＬ字状コーナー下地材５に固着される。そして、下方に向いて開口するＹ字状コーナー下地材１０の基部６には、前記壁下地３上に重ねて取り付けられた壁下地板９Ｗの上端部が挿入されて支持される。
【００２８】
前記電線コード１２は、Ｙ字状コーナー下地材１０の基部６のウェブ６Ｗの上に載置される。同時に前記ウェブ６Ｗの外端部から立ち上がる湾曲片８によって隠蔽されるとともに脱落を防止される。そのため、電線コード１２の配線の変更、増設などの作業が簡単に行えるとともに電線コード１２が露呈しないので見栄えが向上する。
【００２９】
本形態の配線構造１においては、図５に示すように、左右に離れるスピーカー２４Ｄ、２４Ｄからその中間点に向かってのびる横の電線コード１２Ｈを水平に配線するとともに、前記中間点から床面に設置されたモニター２４Ｂに向かって上下にのびる縦の電線コード１２Ｖが配線される。
【００３０】
本形態の配線構造１は、図６に示すように、壁下地板９Ｗ、９Ｗが左右に並ぶ縦の接続箇所において、例えば５〜３０ｍｍ程度隔てて配置され、これにより上下にのびる縦目地１３が形成される。そして、前記横の電線コード１２Ｈに連続する縦の電線コード１２Ｖは、前記縦目地１３内に挿入されて、モニター２４Ｂまでのびて配線される。更に前記縦目地１３は、図８に示すように、縦長薄板状の化粧目地カバー２７により覆われて、縦の電線コード１２Ｖが隠される。前記化粧目地カバー２７は、裏面に一対の弾性脚片２６、２６を有し、この弾性脚片２６、２６を縦目地１３内に圧入して係合させることにより縦目地１３に着脱自在に取り付けられる。このように本形態では、壁と天井の交差部に沿った横の電線コード１２Ｈの配線に加え、これに連続する縦の電線コード１２Ｖの配線作業も簡単に行える。そのためスピーカー配線、インターネット配線、電話配線、アンテナ配線など室内で縦横にのびる電線コード１２を自在に配線でき、しかもその変更、増設も簡単に行え、便利に使用しうる。
【００３１】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３２】
【図１】本発明の一実施の形態を例示する正面図である。
【図２】その要部拡大斜視図である。
【図３】その要部縦断面図である。
【図４】Ｌ字状コーナー下地材およびＹ字状コーナー下地材を示す斜視図である。
【図５】他の実施の形態を例示する正面図である。
【図６】その要部拡大斜視図である。
【図７】その要部縦断面図である。
【図８】その要部横断面図である。
【図９】従来例を示す斜視図である。
【符号の説明】
【００３３】
１      配線構造
２      天井下地
３      壁下地
４      入隅部
５      Ｌ字状コーナー下地材
６      基部
６Ｆ    フランジ
６Ｗ    ウェブ
７      鍔部
８      湾曲片
９      下地板
９Ｓ    天井下地板
９Ｗ    壁下地板
１０      Ｙ字状コーナー下地材
１１      底目地
１２      電線コード
１３      縦目地
【図１】
2007014061.tif 000003
【図２】
2007014061.tif 000004
【図３】
2007014061.tif 000005
【図４】
2007014061.tif 000006
【図５】
2007014061.tif 000007
【図６】
2007014061.tif 000008
【図７】
2007014061.tif 000009
【図８】
2007014061.tif 000010
【図９】
2007014061.tif 000011